(57)【要約】【課題】  チェックボールをリテーナに仮保持できるワンウエイ弁の提供。【解決手段】  弁座を有するハウジングと、該ハウジングの弁座を開閉するチェックボール４と、該チェックボール４を上記弁座に対峙させながらハウジング側に支持されるリテーナ６とを備え、該リテーナ６は、底壁６ａと側壁６ｂとから成り、側壁６ｂの開口端寄りに内側へ突出する突出部６ｅを設けて、自由状態においては、該突出部６ｅで上記チェックボール４がリテーナ６の開口から抜け外れることを防止することにより、リテーナ６の内部にチェックボール４を圧入するだけで、当該チェックボール４を上記した突出部６ｅでリテーナ６の開口から抜け外れることなく即座に仮保持できるので、組み付け作業が頗る容易となる。【選択図】          図３
2006029423.tif 000002
【特許請求の範囲】
【請求項１】
弁座を有するハウジングと、該ハウジングの弁座を開閉するチェックボールと、該チェックボールを上記弁座に対峙させながらハウジング側に支持されるリテーナとを備え、該リテーナは、底壁と側壁とから成り、側壁の開口端寄りに内側へ突出する突出部を設けて、自由状態においては、該突出部で上記チェックボールがリテーナの開口から抜け外れるのを防止することを特徴とするワンウエイ弁。
【請求項２】
リテーナの突出部は、ハウジングの弁座周りに形成された円筒部に外嵌されて、ハウジングとの組み付け時には、外側へ拡開されて、チェックボールの動きを規制しないことを特徴とする請求項１記載のワンウエイ弁。
【請求項３】
チェックボールの可動範囲は、自由状態時には、リテーナの底壁と突出部によって規制され、リテーナをハウジングに組み付けた状態時には、リテーナの底壁とハウジングの弁座によって規制されて、突出部とは当接不能となることを特徴とする請求項１記載のワンウエイ弁。
【請求項４】
リテーナの突出部は、その側壁から切り起こされて、内側下方へ向けて延びる弾性爪であることを特徴とする請求項１乃至請求項３のいずれかに記載のワンウエイ弁。
【請求項５】
ハウジングの弁座周りに形成された円筒部の外周には、リテーナの弾性爪を係合する凹溝があることを特徴とする請求項４記載のワンウエイ弁。
【請求項６】
自由状態では、リテーナの弾性爪の先端縁でチェックボールが規制されていることを特徴とする請求項４記載のワンウエイ弁。
【請求項７】
チェックボールをハウジングの弁座方向に付勢するスプリングを有することを特徴とする請求項１記載のワンウエイ弁。
【請求項８】
リテーナは、上端開口縁に外向フランジ部を有し、該外向フランジ部に装着されたスプリングでハウジング側に弾圧されていることを特徴とする請求項１記載のワンウエイ弁。
【請求項９】
リテーナの上端開口縁側は、外向フランジ部に装着されたスプリングの端末部で縮径方向に押圧されていることを特徴とする請求項８記載のワンウエイ弁。
【請求項１０】
リテーナは、その側壁に開口端から底壁に向かうスリットを有することを特徴とする請求項１記載のワンウエイ弁。
【請求項１１】
リテーナは、金属平板の打ち抜き加工により成形されて、連結中央部と該連結中央部からスリットを介在させて延びる複数の延長片を有し、該各延長片を互いに対向させて側壁を画成して、この側壁を画成する延長片から弾性爪が個々に延びていることを特徴とする請求項４記載のワンウエイ弁。
【発明の詳細な説明】
【技術分野】
【０００１】
本発明は、例えば、自動車エンジンの動弁系隙間自動調整用として使用されるラッシュアジャスター等のワンウエイ弁に関するものである。
【背景技術】
【０００２】
従来のこの種ラッシュアジャスターは、具体的には図示しないが、主として、上方が開口する円筒状のボディと、該ボディ内に摺動可能に嵌合するプランジャーと、該プランジャーの底部に形成された弁座を開閉するチェックボールと、該チェックボールを弁座方向に付勢するスプリングと、チェックボールとスプリングを保持するリテーナとを備え、自動車エンジンのシリンダヘッド側に組み込まれて、動弁機構の作動中に、常にバルブクリアランスをほぼ零に維持して、温度による膨張の変化を吸収したり、騒音や生ガス吹き抜けを防止すると共に、動弁機構の安定した作動を実現するものである（例えば、特許文献１参照）。
【特許文献１】特開平６−１４６８２１号公報
【発明の開示】
【発明が解決しようとする課題】
【０００３】
然し乍ら、従来のラッシュアジャスターにあっては、特に、そのボディとプランジャー間に画成された高圧室内に配されるチェックボールとスプリングとをそのリテーナに組み付ける場合には、このバラバラの成形された３者を同時に組み付けなければならないので、組み付け時に、チェックボールがリテーナから不用意に飛び出したり、スプリングが絡んだり倒れたりして、組み付け作業を行う上では、非常に困難が強いられていた。
【課題を解決するための手段】
【０００４】
本発明は、斯かる実情に鑑み開発されたもので、請求項１記載の発明は、弁座を有するハウジングと、該ハウジングの弁座を開閉するチェックボールと、該チェックボールを上記弁座に対峙させながらハウジング側に支持されるリテーナとを備え、該リテーナは、底壁と側壁とから成り、側壁の開口端寄りに内側へ突出する突出部を設けて、自由状態においては、該突出部で上記チェックボールがリテーナの開口から抜け外れるのを防止することを特徴とする。
【０００５】
請求項２記載の発明は、請求項１を前提として、リテーナの突出部は、ハウジングの弁座周りに形成された円筒部に外嵌されて、ハウジングとの組み付け時には、外側へ拡開されて、チェックボールの動きを規制しないことを特徴とする。
【０００６】
請求項３記載の発明は、請求項１を前提として、チェックボールの可動範囲は、自由状態時には、リテーナの底壁と突出部によって規制され、リテーナをハウジングに組み付けた状態時には、リテーナの底壁とハウジングの弁座によって規制されて、突出部とは当接不能となることを特徴とする。
【０００７】
請求項４記載の発明は、請求項１乃至請求項３を前提として、リテーナの突出部は、その側壁から切り起こされて、内側下方へ向けて延びる弾性爪であることを特徴とする。
【０００８】
請求項５記載の発明は、請求項４を前提として、ハウジングの弁座周りに形成された円筒部の外周には、リテーナの弾性爪を係合する凹溝があることを特徴とする。
【０００９】
請求項６記載の発明は、請求項４を前提として、自由状態では、リテーナの弾性爪の先端縁でチェックボールが規制されていることを特徴とする。
【００１０】
請求項７記載の発明は、請求項１を前提として、チェックボールをハウジングの弁座方向に付勢するスプリングを有することを特徴とする。
【００１１】
請求項８記載の発明は、請求項１を前提として、リテーナは、上端開口縁に外向フランジ部を有し、該外向フランジ部に装着されたスプリングでハウジング側に弾圧されていることを特徴とする。
【００１２】
請求項９記載の発明は、請求項８を前提として、リテーナの上端開口縁側は、外向フランジ部に装着されたスプリングの端末部で縮径方向に押圧されていることを特徴とする。
【００１３】
請求項１０記載の発明は、請求項１を前提として、リテーナは、その側壁に開口端から底壁に向かうスリットを有することを特徴とする。
【００１４】
請求項１１記載の発明は、請求項４を前提として、リテーナは、金属平板の打ち抜き加工により成形されて、連結中央部と該連結中央部からスリットを介在させて延びる複数の延長片を有し、該各延長片を互いに対向させて側壁を画成して、この側壁を画成する延長片から弾性爪が個々に延びていることを特徴とする。
【発明の効果】
【００１５】
依って、請求項１記載の発明にあっては、リテーナの側壁の開口端寄りに内側へ突出する突出部を設けた関係で、リテーナの内部にチェックボールを圧入するだけで、上記した突出部で当該チェックボールをリテーナの開口から抜け外れることなく仮保持できるので、リテーナとチェックボールとの組み付け作業が頗る容易となることは勿論であるが、特に、後工程の組付工数も大幅に削減できる。
【００１６】
請求項２記載の発明にあっては、チェックボールを仮保持するリテーナをハウジングに組み付ける時には、突出部が外側に拡開されて、チェックボールの動きを規制しない関係で、自由状態においては、突出部を内側へ大きく突出させることができるので、チェックボールがリテーナの開口から抜け外れることを確実に防止できる。
【００１７】
請求項３記載の発明にあっては、チェックボールを仮保持するリテーナをハウジングに組み付ける時には、チェックボールはリテーナの底壁とハウジングの弁座に規制されて、突出部とは当接不能になっている関係で、上記した組み付け時には、突出部を変位・変形させる必要がなくなるので、小さな力で組み付けができ、作業性に優れることとなる。
【００１８】
請求項４記載の発明にあっては、突出部が側壁から切り起こされた弾性爪である関係で、その先端縁がハウジングの弁座周りに形成された円筒部などの相手部品に鋭利に圧接するので、リテーナ自体のハウジングからの抜け外れも有効に防止できる。
【００１９】
請求項５記載の発明にあっては、ハウジングの弁座周りに形成された円筒部の外周に弾性爪を係合する凹溝が存在する関係で、組み付け状態にあっては、弾性爪の先端縁が当該凹溝に係合するので、リテーナ自体のハウジングからの抜け外れを更に効果的に防止できる。
【００２０】
請求項６記載の発明にあっては、弾性爪の先端縁でチェックボールを直に規制する関係で、弾性爪を短くできるので、リテーナ自体の小型化が可能となると共に、チェックボールがリテーナの開口から抜け外れることを直接的に防止できる。
【００２１】
請求項７記載の発明にあっては、チェックボールをハウジングの弁座方向に付勢するスプリングを有する関係で、このスプリングによって、チェックボールでハウジングの弁座を確実に閉塞できると共に、スプリングは、リテーナの側壁による径方向のガイドとチェックボールとリテーナの底壁による上下方向のガイドを得て、常に倒れずに安定した姿勢が取れる。
【００２２】
請求項８記載の発明にあっては、リテーナはその外向フランジ部に装着されたスプリングでハウジング側に弾圧される関係で、リテーナのハウジングに対する支持状態が確実となる。
【００２３】
請求項９記載の発明にあっては、リテーナの上端開口縁が外向フランジ部に装着されたスプリングの端末部で縮径方向に押圧される関係で、リテーナの開口が不用意に拡開することを効果的に防止できると共に、この拡開する力により、スプリング自体の抜け外れも合わせて防止できる。
【００２４】
請求項１０記載の発明にあっては、リテーナがその側壁にスリットを有する関係で、高度な深絞り技術を用いなくとも、簡易な絞り加工で、リテーナを成形することが可能となると共に、絞り加工のし難い材料（例えば、バネ鋼）でも成形することが可能となる。
【００２５】
請求項１１記載の発明にあっては、リテーナが金属平板の打ち抜き加工により成形される関係で、簡易な曲げ加工・絞り加工で、一体に成形することが可能となる。
【発明を実施するための最良の形態】
【００２６】
本発明は、リテーナの側壁の開口端寄りに内側へ突出する突出部を設けて、リテーナの内部にチェックボールを圧入するだけで、当該チェックボールがこの突出部でリテーナの開口から抜け外れることを防止することにより、リテーナとチェックボールの組み付け作業を容易となすと共に、これに伴い、後工程の組付工数をも大幅に削減せんとするものである。
【実施例１】
【００２７】
以下、本発明を図示する好適な実施例に基づいて詳述すれば、第一実施例に係るワンウエイ弁は、自動車エンジンの動弁系隙間自動調整用として使用されるラッシュアジャスターに応用されたもので、その具体的な構造は、図１に示す如く、上方が開口する円筒状のボディ１と、該ボディ１内に摺動可能に嵌合するハウジングたるプランジャー２と、該プランジャー２の底部に形成された弁座３を開閉するチェックボール４と、該チェックボール４を弁座３方向に付勢する第１スプリング５と、チェックボール４と第１スプリング５を内部に保持して上記プランジャー２側に支持されるリテーナ６と、リテーナ６の後述する外向フランジ部６ｃとボディ１の内部間に装着されてリテーナ６をプランジャー２側に弾圧する第２スプリング７とを備えるものである。
【００２８】
そして、第一実施例にあっては、斯かる構造に立脚して、上記リテーナ６に対しては、図２・図３に示す如く、上記第１スプリング５の凸状受け座を有する底壁６ａと、外向フランジ部６ｃを有する側壁６ｂと、該側壁６ｂの開口端から底壁６ａに向かう複数のスリット６ｄとから構成して、該側壁６ｂの開口端寄りに、側壁６ｂから切り起こされて内側下方へ向けて延びる突出部たる複数の弾性爪６ｅを等間隔をおいて設けて、その自由状態においては、当該各弾性爪６ｅの先端縁で上記チェックボール４がリテーナ６の開口から抜け外れることを防止する構成を採用している。
【００２９】
尚、このリテーナ６の成形に際しては、図４に示す如く、金属平板の打ち抜き加工により成形するものとし、連結中央部１００と該連結中央部１００から上記スリット６ｄを介在させて放射状に延びる３枚の延長片１０１とを有し、該各延長片１０１を互いに対向させて起立させることにより、上記連結中央部１００が底壁６ａを画成し、各延長片１０１がスリット６ｄを有する側壁６ｂを画成して、この各延長片１０１の上端縁を外方へ折曲することにより外向フランジ部６ｃを形成し、同各延長片１０１の開口端寄りに内側へ突出する弾性爪６ｅを個々に切り起こすものとする。
【００３０】
従って、簡易な曲げ加工や絞り加工などで、リテーナ６を一体に成形することが可能となることは言うまでもないが、特に、その側壁６ｂを画成する延長片１０１間にスリット６ｄを介在させた関係で、高度な深絞り技術を用いなくとも、簡易な絞り加工で、リテーナ６を成形することが可能となると共に、絞り加工のし難い材料（例えば、バネ鋼）でも、リテーナ６を成形することが可能となる。
【００３１】
依って、第一実施例の下では、リテーナ６の内部にチェックボール４と第１スプリング５とを圧入するだけで、当該チェックボール４を各弾性爪６ｅの先端縁でリテーナ６の開口から抜け外れることなく仮保持できるので、従来と比較すると、リテーナ６とチェックボール４と第１スプリング５との組み付け作業が頗る容易となると共に、これに伴い、チェックボール４と第１スプリング５を仮保持するリテーナ６に第２スプリング７を装着しながら、ボディ１の底部とプランジャー２の弁座３間に介設する後工程の組付工数も大幅に削減できることとなる。
【００３２】
しかも、この状態にあっては、従来の如く、チェックボール４が第１スプリング５のばね圧でリテーナ６から飛び出す心配がないことは勿論であるが、第１スプリング５自体も、リテーナ６の側壁６ｂによる径方向のガイドと、チェックボール４とリテーナ６の底壁６ａによる上下方向のガイドを得て、常に倒れずに安定した姿勢が取れるので、第１スプリング５が絡んだり倒れたりして、組付作業を困難にする心配もなくなる。
【００３３】
又、このリテーナ６をプランジャー２側に支持する場合には、図１・図５に示す如く、まず、リテーナ６の外向フランジ部６ｃ側に第２スプリング７を装着する状態を得ることとなるが、この時には、リテーナ６の上端開口縁を当該第２スプリング７の端末部で縮径方向に押圧するように、第２スプリング７をリテーナ６の外側に圧入する状態を得て、リテーナ６の開口部をプランジャー２の弁座３周りに形成された円筒部２ａに外嵌すると、各弾性爪６ｅが当該円筒部２ａにより外側へ拡開されて、チェックボール４の動きを規制しなくなるので、チェックボール４は第１スプリング５の付勢力でプランジャー２の弁座３を確実に閉塞して、各部の作動に影響を及ぼすことがない。
【００３４】
尚、この場合、リテーナ６の上端開口縁が第２スプリング７の端末部で縮径方向に押圧されているので、リテーナ６の開口が不用意に拡開することを効果的に防止できると共に、逆に、この拡開する力により、第２スプリング７のリテーナ６からの抜け外れも合わせて防止できる一方、各弾性爪６ｅがプランジャー２の円筒部２ａの外周に圧接することにより、リテーナ６のプランジャー２からの抜け外れをも防止できることとなるが、特に、図６に示す如く、プランジャー２の円筒部２ａの外周に各弾性爪６ｅの先端縁を係合する凹溝８を形成すれば、その抜け外れを一層確実に防止できることとなる。
【実施例２】
【００３５】
次に、第二実施例に係るワンウエイ弁を説明すると、第二実施例のものも、基本的には、上記した第一実施例のものを前提とするものであるが、異なるところは、チェックボール４を付勢する第１スプリング５を省略して、自由状態時におけるチェックボール４の可動範囲を、図７に示す如く、リテーナ６の底壁６ａと各弾性爪６ｅによって規制し、リテーナ６のプランジャー２に対する組み付け時におけるチェックボール４の可動範囲を、図８に示す如く、リテーナ６の底壁６ａとハウジング１の弁座３で規制して、各弾性爪６ｅはチェックボール４に対して当接不能となるように構成したものである。
【００３６】
従って、第二実施例にあっては、第一実施例と異なり、リテーナ６をプランジャー２側に組み付ける際に、各弾性爪６ｅをプランジャー２の円筒部２ａで強制的に外側へ拡開させる必要がなくなるので、小さな力で組み付けができ、作業性に優れることとなる。尚、その他の構成・作用効果は、第一実施例と同様なので、ここでは、その説明は省略する。
【実施例３】
【００３７】
最後に、第三実施例に係るワンウエイ弁を説明すると、第三実施例のものは、上記した第一実施例のものと第二実施例のものとを組み合わせたものであるが、特徴とするところは、図９に示す如く、弾性爪６ｅの変わりに、リテーナ６の側壁６ｂの開口端寄りに内側へ円弧状をもって突出する弾性突起１６ｅを等間隔をおいて設ける構成となしたものである。
【００３８】
従って、第三実施例の下でも、リテーナ６の内部にチェックボール４と第１スプリング５とを圧入するだけで、図示する如く、当該チェックボール４を保持部たる各弾性突起１６ｅの先端縁でリテーナ６の開口から抜け外れることなく仮保持でき、又、リテーナ６をプランジャー２側に組み付ける時は、図１０に示す如く、第二実施例と同様に、各弾性突起１６ｅがチェックボール４に対して当接不能となるように構成されているので、各弾性突起１６ｅをプランジャー２の円筒部２ａで強制的に外側へ拡開させる必要がなくなることとなる。
【産業上の利用可能性】
【００３９】
本発明に係るワンウエイ弁は、チェックボールが突出部でリテーナの開口から抜け外れることを防止して、リテーナに対するチェックボールの組付作業を容易にできると共に、これに伴い、後工程の組付工数も大幅に削減できるので、自動車エンジンの動弁系隙間自動調整用として使用されるラッシュアジャスター等に応用すれば、頗る好都合なものとなる。
【図面の簡単な説明】
【００４０】
【図１】本発明の第一実施例に係るワンウエイ弁を示す断面図である。
【図２】リテーナを示す斜視図である。
【図３】リテーナの内部にチェックボールと第１スプリングを圧入した状態を示す断面図である。
【図４】リテーナの展開状態を示す斜視図である。
【図５】リテーナをプランジャー側に支持した状態を示す要部断面図である。
【図６】第一実施例の変形例を示す要部断面図である。
【図７】第二実施例に係るワンウエイ弁をリテーナにチェックボールを圧入した状態で示す断面図である。
【図８】リテーナをプランジャー側に支持した状態を示す要部断面図である。
【図９】第三実施例に係るワンウエイ弁をリテーナの内部にチェックボールと第１スプリングを圧入した状態で示す断面図である。
【図１０】リテーナをプランジャー側に支持した状態を示す要部断面図である。
【符号の説明】
【００４１】
１      ボディ
２      プランジャー（ハウジング）
２ａ    円筒部
３      弁座
４      チェックボール
５      第１スプリング
６      リテーナ
６ａ    底壁
６ｂ    側壁
６ｃ    外向フランジ部
６ｄ    スリット
６ｅ    弾性爪（突出部）
７      第２スプリング
８      凹溝
１６ｅ  弾性突起（突出部）
１００  連結中央部
１０１  延長片
【図１】
2006029423.tif 000003
【図２】
2006029423.tif 000004
【図３】
2006029423.tif 000005
【図４】
2006029423.tif 000006
【図５】
2006029423.tif 000007
【図６】
2006029423.tif 000008
【図７】
2006029423.tif 000009
【図８】
2006029423.tif 000010
【図９】
2006029423.tif 000011
【図１０】
2006029423.tif 000012